(57)【要約】【課題】画像と音楽とが一体となった見栄えのよい音楽付きスライドショーを作成するために音楽データを選択するデータ選択プログラムの提供。【解決手段】コンピュータを、デジタルカメラやメディアなどから入力された画像データをスライドショーとして表示するためのスライド表示時間を算出するスライド表示時間算出手段１４、記憶手段１８や記録媒体９、サーバ１０などに記憶された複数の音楽データの中から、スライド表示時間に基づいて設定される範囲の再生時間の１又は複数の音楽データ、又は、画像データに基づく画像のイメージに近似したイメージを有する１又は複数の音楽データを選択する音楽データ選択手段１５、選択された音楽データを表示手段５に表示させる表示制御手段１９として機能させる。これにより、画像と音楽との一体感のある見栄えのよい音楽付きスライドショーを簡単に作成できる。【選択図】図７
2007110659.tif 000002
【特許請求の範囲】
【請求項１】
コンピュータを、
複数の画像データをスライドショーとして表示するためのスライド表示時間を算出するスライド表示時間算出手段、
前記スライド表示時間に基づいて、所定の記憶場所に記憶された複数の音楽データの中から、前記スライドショーのＢＧＭとして利用する１又は複数の音楽データを選択する音楽データ選択手段、として機能させることを特徴とするデータ選択プログラム。
【請求項２】
前記スライド表示時間算出手段では、静止画像データに対しては、該静止画像データの数量に予め設定されたスライド間隔を乗算して静止画表示時間を算出し、動画データに対しては、該動画データヘッダ情報を参照して動画表示時間を算出し、前記静止画表示時間と前記動画表示時間とを加算して前記スライド表示時間を算出することを特徴とする請求項１記載のデータ選択プログラム。
【請求項３】
前記音楽データ選択手段では、前記所定の記憶場所に記憶された情報又は前記音楽データのヘッダ情報の少なくとも一方を参照して前記音楽データの再生時間を特定し、前記音楽データの再生時間が前記スライド表示時間に基づいて設定される範囲内である場合に、該音楽データを前記ＢＧＭの候補として選択することを特徴とする請求項１又は２に記載のデータ選択プログラム。
【請求項４】
コンピュータを、
スライドショーに利用される画像データに関連する情報に基づいて特定される画像のイメージと、所定の記憶場所に記憶された音楽データに関連する情報に基づいて特定される音楽のイメージとを比較し、
前記画像のイメージと前記音楽のイメージとが近似しているか否かに基づいて、前記所定の記憶場所に記憶された複数の音楽データの中から、前記スライドショーのＢＧＭとして利用する１又は複数の音楽データを選択する音楽データ選択手段、として機能させることを特徴とするデータ選択プログラム。
【請求項５】
前記画像データに関連する情報は、前記画像データに対して入力されたコメント、前記スライドショーに対して入力されたタイトル、前記画像データの撮影日時情報のいずれかを含み、
前記音楽データに関連する情報は、楽曲タイトル、前記音楽データが収録されたアルバムのタイトル、前記音楽データ又は前記アルバムに対して入力されたキーワード、前記音楽データの発表日時情報、前記音楽データの流行時期情報のいずれかを含むことを特徴とする請求項４記載のデータ選択プログラム。
【請求項６】
前記音楽データ選択手段では、前記画像データに関連する情報と前記音楽データに関連する情報とに実質的に同じ文言が含まれている場合、又は、前記画像データに関連する情報で特定される時期と前記音楽データに関連する情報で特定される時期とが重複している場合に、該音楽データを前記ＢＧＭの候補として選択することを特徴とする請求項４又は５に記載のデータ選択プログラム。
【請求項７】
コンピュータを、更に、
前記所定の場所に記憶された複数の効果音データの中から、予め記憶された対応付け情報を参照して、各々の前記画像データに対応する前記効果音データを選択する効果音データ選択手段、として機能させることを特徴とする請求項１乃至６のいずれか一に記載のデータ選択プログラム。
【請求項８】
コンピュータを、更に、
前記画像データに前記音楽データを合成、又は、複数の前記画像データに前記音楽データを合成すると共に各々の前記画像データに前記効果音データを合成して、特定形式のスライドショーデータを生成するデータ生成手段、として機能させることを特徴とする請求項１乃至７のいずれか一に記載のデータ選択プログラム。
【請求項９】
前記所定の記憶場所は、前記データ選択プログラムが実行される機器の記憶手段、該機器に装填される記録媒体、通信ネットワークを介して該機器に接続されるサーバのいずれかを含むことを特徴とする請求項１乃至８のいずれか一に記載のデータ選択プログラム。
【請求項１０】
更に、前記スライドショーのデータを記録する記録媒体のレーベル面又は該記録媒体を格納するケースのジャケットプリントの少なくとも一方に、前記画像データに基づく画像と、選択された前記音楽データに関連する情報と、を印刷手段に印刷させる印刷制御手段、として機能させることを特徴とする請求項１乃至９のいずれか一に記載のデータ選択プログラム。
【発明の詳細な説明】
【技術分野】
【０００１】
本発明は、データを選択するプログラムに関し、特に、音楽付きスライドショーに利用する音楽データや効果音データを選択するためのデータ選択プログラムに関する。
【背景技術】
【０００２】
近年、写真画像に関する様々なサービスが提供されている。例えば、写真を撮影したデジタルカメラやデジタルカメラ用メディアをミニラボ等の写真店に持ち込み、店舗内に設けられた無人端末（キオスク）や店頭端末などを操作することによって、デジタルカメラやメディアに記録された画像データをＣＤ−Ｒ、ＤＶＤ−Ｒなどの記録媒体に書き込むことができる（上記無人端末に関しては、例えば、下記特許文献１参照）。
【０００３】
また、デジタルカメラやメディアから読み取った画像データを単に記録媒体に記録するのではなく、画像データと共に、これらの画像データを音楽付きスライドショーとして再生するための音楽データやスライドショープログラムをＣＤ−ＲやＤＶＤ−Ｒなどの記録媒体に書き込むサービスや、これらの画像データをＤＶＤプレーヤやＤＶＤレコーダ、ＨＤＤレコーダ、ゲーム機などの家電機器で音楽付きスライドショーとして再生するためのデータ（以下、家電機器用データと呼ぶ。）を作成してＣＤ−ＲやＤＶＤ−Ｒなどの記録媒体に書き込むサービスも行われている。
【０００４】
【特許文献１】特開平１１−８８１７号公報（第３−４頁、第１図）
【発明の開示】
【発明が解決しようとする課題】
【０００５】
ここで、デジタルカメラやメディアに記録された画像データの数量と、スライドショーのＢＧＭとして利用する音楽データの再生時間とが適切な関係にある場合は、画像の表示と音楽の再生とを同期させることによって画像と音楽とが一体となったスライドショーを作成することができるが、例えば、画像データの数量に比べて音楽データの再生時間が短い場合には、スライド間隔が短くなって画像が頻繁に切り替わってしまい、逆に、画像データの数量に比べて音楽データの再生時間が長い場合には、スライド間隔が長くなって間延びしたスライドショーになってしまうという問題がある。
【０００６】
また、画像データの数量に適した再生時間の音楽データを選択したとしても、画像によって特定されるイメージと音楽によって特定されるイメージとが近似しない場合（例えば、夏に撮影した写真画像と冬を題材にした音楽とを組み合わせる場合など）には、画像と音楽との一体感がなくなり、やはりスライドショーの見栄えが悪くなってしまうという問題がある。
【０００７】
また、従来の音楽付きスライドショーでは、一群の画像データに対して１又は複数の音楽データが再生されるだけであり、各々の画像データに対して効果音などが再生されるものはなかったため、各々の画像データをより効果的に表示することができないという問題もあった。
【０００８】
本発明は、上記問題点に鑑みてなされたものであって、その主たる目的は、画像と音楽とが一体となった見栄えのよい音楽付きスライドショーを作成することができるように音楽データを選択するデータ選択プログラムを提供することにある。
【０００９】
また、本発明の他の目的は、各々の画像データがより効果的に再生される音楽付きスライドショーを作成することができるように効果音データを選択するデータ選択プログラムを提供することにある。
【課題を解決するための手段】
【００１０】
上記目的を達成するため、本発明のデータ選択プログラムは、コンピュータを、複数の画像データをスライドショーとして表示するためのスライド表示時間を算出するスライド表示時間算出手段、前記スライド表示時間に基づいて、所定の記憶場所に記憶された複数の音楽データの中から、前記スライドショーのＢＧＭとして利用する１又は複数の音楽データを選択する音楽データ選択手段、として機能させるものである。
【００１１】
本発明においては、前記スライド表示時間算出手段では、静止画像データに対しては、該静止画像データの数量に予め設定されたスライド間隔を乗算して静止画表示時間を算出し、動画データに対しては、該動画データヘッダ情報を参照して動画表示時間を算出し、前記静止画表示時間と前記動画表示時間とを加算して前記スライド表示時間を算出する構成とすることができる。
【００１２】
また、本発明においては、前記音楽データ選択手段では、前記所定の記憶場所に記憶された情報又は前記音楽データのヘッダ情報の少なくとも一方を参照して前記音楽データの再生時間を特定し、前記音楽データの再生時間が前記スライド表示時間に基づいて設定される範囲内である場合に、該音楽データを前記ＢＧＭの候補として選択する構成とすることができる。
【００１３】
また、本発明のデータ選択プログラムは、コンピュータを、スライドショーに利用される画像データに関連する情報に基づいて特定される画像のイメージと、所定の記憶場所に記憶された音楽データに関連する情報に基づいて特定される音楽のイメージとを比較し、前記画像のイメージと前記音楽のイメージとが近似しているか否かに基づいて、前記所定の記憶場所に記憶された複数の音楽データの中から、前記スライドショーのＢＧＭとして利用する１又は複数の音楽データを選択する音楽データ選択手段、として機能させるものである。
【００１４】
本発明においては、前記画像データに関連する情報は、前記画像データに対して入力されたコメント、前記スライドショーに対して入力されたタイトル、前記画像データの撮影日時情報のいずれかを含み、前記音楽データに関連する情報は、楽曲タイトル、前記音楽データが収録されたアルバムのタイトル、前記音楽データ又は前記アルバムに対して入力されたキーワード、前記音楽データの発表日時情報、前記音楽データの流行時期情報のいずれかを含むことが好ましい。
【００１５】
また、本発明においては、前記音楽データ選択手段では、前記画像データに関連する情報と前記音楽データに関連する情報とに実質的に同じ文言が含まれている場合、又は、前記画像データに関連する情報で特定される時期と前記音楽データに関連する情報で特定される時期とが重複している場合に、該音楽データを前記ＢＧＭの候補として選択する構成とすることができる。
【００１６】
また、本発明においては、コンピュータを、更に、前記所定の場所に記憶された複数の効果音データの中から、予め記憶された対応付け情報を参照して、各々の前記画像データに対応する前記効果音データを選択する効果音データ選択手段、として機能させる構成とすることができる。
【００１７】
また、本発明においては、コンピュータを、更に、前記画像データに前記音楽データを合成、又は、複数の前記画像データに前記音楽データを合成すると共に各々の前記画像データに前記効果音データを合成して、特定形式のスライドショーデータを生成するデータ生成手段、として機能させる構成とすることもできる。
【００１８】
また、本発明においては、前記所定の記憶場所は、前記データ選択プログラムが実行される機器の記憶手段、該機器に装填される記録媒体、通信ネットワークを介して該機器に接続されるサーバのいずれかを含むことが好ましい。
【００１９】
また、本発明においては、更に、前記スライドショーのデータを記録する記録媒体のレーベル面又は該記録媒体を格納するケースのジャケットプリントの少なくとも一方に、前記画像データに基づく画像と、選択された前記音楽データに関連する情報と、を印刷手段に印刷させる印刷制御手段、として機能させる構成とすることもできる。
【００２０】
このように、本発明によれば、所定の記憶手段に記憶された複数の音楽データの中から、スライド表示時間に基づいて設定される範囲の再生時間の１又は複数の音楽データ、又は／及び、画像データに基づく画像のイメージに近似するイメージを有する１又は複数の音楽データが選択され、選択された音楽データが表示手段に表示されるため、ユーザは多数の音楽データの中からスライドショーのＢＧＭに適した音楽データを簡単に選択することができ、画像が頻繁に切り替わったり画像が間延びして表示されることのない、画像と音楽との一体感のある見栄えのよい音楽付きスライドショーを簡単に作成することができる。
【００２１】
また、所定の記憶手段に記憶された複数の効果音データの中から、予め記憶された対応付け情報を参照して、各々の画像データに対応する効果音データが選択され、画像データと音楽データと効果音データとが合成されて特定形式のデータが生成されるため、画像データがより効果的に再生される音楽付きスライドショーを簡単に作成することができる。
【００２２】
また、複数の画像データと選択された音楽データと必要に応じて効果音データとに基づくスライドショーを実行するためのデータを記録する記録媒体のレーベル面や、該記録媒体を収納するケースのジャケットプリントなどに、画像データに基づく１又は複数の画像と共に、選択された音楽データに関連する情報が印刷されるため、スライドショーのＢＧＭとして利用する音楽を容易に識別することができ、これにより記録媒体の価値を高めることができる。
【発明の効果】
【００２３】
本発明のデータ選択プログラムによれば、下記記載の効果を奏する。
【００２４】
本発明の第１の効果は、多数の音楽データの中からスライドショーのＢＧＭに適した音楽データを簡単に選択することができ、画像と音楽との一体感のある見栄えのよい音楽付きスライドショーを簡単に作成することができるということである。
【００２５】
その理由は、データ選択プログラムにより、複数の画像データをスライドショーとして表示するためのスライド表示時間が算出され、記憶手段や音楽ＣＤ、音楽配信サーバなどの所定の記憶場所に記憶された多数の音楽データの中から、算出したスライド表示時間に基づいて設定される範囲の再生時間の１又は複数の音楽データが選択され、選択された音楽データが表示手段に表示されるからである。また、画像データに対して入力された情報や画像データから抽出される情報と、メタデータやデータベースに記憶された情報や音楽データから抽出される情報とが比較され、所定の記憶場所に記憶された多数の音楽データの中から、画像データに基づく画像のイメージに近似したイメージを有する１又は複数の音楽データが選択され、選択された音楽データが表示手段に表示されるからである。
【００２６】
また、本発明の第２の効果は、スライドショーで再生される各々の画像データに対応する効果音データを選択することができ、画像データがより効果的に再生される音楽付きスライドショーを簡単に作成することができるということである。
【００２７】
その理由は、データ選択プログラムにより、記憶手段や音楽ＣＤ、音楽配信サーバなどの所定の記憶場所に記憶された多数の効果音データの中から、予め記憶された対応付け情報を参照して、各々の画像データに対応する効果音データが選択され、画像データと音楽データと効果音データとに基づいて特定形式のデータが生成されるからである。
【００２８】
また、本発明の第３の効果は、スライドショーのＢＧＭとして利用する音楽を容易に識別することができ、音楽付きスライドショーのデータが記録される記録媒体の利用価値を高めることができるということである。
【００２９】
その理由は、記録媒体のレーベル面や、該記録媒体を収納するケースのジャケットプリントに、１以上の画像データに基づく画像に加えて、選択された音楽データに関連する情報（音楽ＣＤのジャケット画像やアーティスト画像など）が印刷されるからである。
【発明を実施するための最良の形態】
【００３０】
本発明のデータ選択プログラムは、その好ましい一実施の形態において、コンピュータを、デジタルカメラやメディアなどから入力された画像データをスライドショーとして表示するためのスライド表示時間を算出するスライド表示時間算出手段、記憶手段や記録媒体、サーバなどに記憶された複数の音楽データの中から、スライド表示時間に基づいて設定される範囲の再生時間の１又は複数の音楽データ、又は、画像データに基づく画像のイメージに近似したイメージを有する１又は複数の音楽データを選択する音楽データ選択手段、必要に応じて、記憶手段や記録媒体、サーバなどに記憶された複数の効果音データの中から、予め記憶された対応付け情報を参照して、各々の画像データに対応する効果音データを選択する効果音データ選択手段、選択された音楽データを表示手段に表示させる表示制御手段、として機能させるものであり、画像のスライド表示時間や画像のイメージに適した音楽データがＢＧＭとして使用され、また、各々の画像に適した効果音が再生されるため、画像と音楽との一体感のある、また、各々の画像データがより効果的に再生される見栄えのよい音楽付きスライドショーを簡単に作成することができる。
【実施例１】
【００３１】
上記実施形態について詳細に説明すべく、本発明の第１の実施例に係るデータ選択プログラムについて、図１乃至図１６を参照して説明する。図１は、本実施例に係る記録装置の構成を模式的に示す図であり、図２乃至図６は、そのバリエーションを示す図である。また、図７は、記録装置の手段を示すブロック図であり、図８は、記録装置を用いた処理の手順を示すフローチャート図である。また、図９は、家電機器用データを生成する手順を模式的に示す図であり、図１０乃至図１２は、記録装置の表示手段に表示される画面の構成例を示す図である。また、図１３は、記録媒体におけるデータの記録構造を示す図であり、図１４は、記録媒体のレーベル面及びジャケットプリントの構成例を示す図である。また、図１５は、記録媒体におけるデータの記録領域を示す図であり、図１６は、記録媒体（ＣＤ−Ｒ）の構造を模式的に示す図である。
【００３２】
図１及び図７に示すように、本実施例の記録装置１は、メディア装填部２に装填されたスマートメディア、コンパクトフラッシュ（登録商標）、メモリースティック（登録商標）、ＳＤメモリーカード、マルチメディアカードなどの記録媒体（以下、メディア８と呼ぶ。）、機器接続部３に接続されたデジタルカメラ７（デジタルスチルカメラ及びデジタルムービーカメラの双方を含む。）やカメラ付き携帯電話機７ａ等の撮影機器、ネットワーク接続部を用いてインターネット等の通信ネットワーク１１を介して接続されるサーバ１０（例えば、画像保管サーバ）などから画像データ（静止画像データ、動画データ、画像情報を含むデータを総称して画像データと呼ぶ。）を入力すると共に、記憶手段１８、記録媒体装填部４に装填されたＣＤ−Ｒ／ＲＷやＤＶＤ±Ｒ／ＲＷ、ＤＶＤ−ＲＡＭ、ＨＤ−ＤＶＤ、Ｂｌｕ−ｒａｙディスク等の記録媒体９、ネットワーク接続部を用いて接続されるサーバ１０（例えば、音楽配信サーバ）などから音楽データ（ファイル形式を問わず、音楽情報を含むデータを総称して音楽データと呼ぶ。）を入力するデータ入力手段１３と、入力された画像データをスライドショーとして表示するための時間（以下、スライド表示時間と呼ぶ。）を算出するスライド表示時間算出手段１４と、記憶手段１８や記録媒体装填部４に装填された音楽ＣＤ、サーバ１０などに記憶された複数の音楽データの中から、スライドショーのＢＧＭに適した１又は複数の音楽データを選択する音楽データ選択手段１５と、画像データと選択された音楽データとに基づいてＤＶＤプレーヤやＤＶＤレコーダ、ＨＤＤレコーダ、ゲーム機などの家電機器で利用可能なＶｉｄｅｏ−ＣＤ形式、ＤＶＤ−Ｖｉｄｅｏ形式、ＨＤＴＶ形式などの家電機器用データを生成するデータ生成手段１６と、記録媒体装填部４に装填された記録媒体９に、生成された家電機器用データや画像データ、選択された音楽データなどを記録するデータ記録手段１７と、スライド間隔の推奨値や音楽データなどを記憶するＨＤＤやＲＡＭ等の記憶手段１８と、選択された音楽データを表示するための画面などを表示手段５に表示させる表示制御手段１９と、ＬＣＤ、ＣＲＴ等の表示手段５及びボタン、キーボード、マウス等の操作手段６と、インクジェットプリンタなどの印刷手段１２を用いて、記録媒体９のレーベル面や記録媒体９を収納するケースのジャケットプリントなどに画像データに基づく画像と選択された音楽データに関連する情報とを印刷させる印刷制御手段２０などを備えている。
【００３３】
なお、上記各手段は記録装置１にハードウェアとして構成されていてもよいが、コンピュータを、音楽データ選択手段１５と表示制御手段１９、スライド表示時間算出手段１４と音楽データ選択手段１５と表示制御手段１９、更に必要に応じて印刷制御手段２０、データ生成手段１６として機能させるデータ選択プログラムとして構成し、該データ選択プログラムを記録装置１にインストールして実行する構成とすることができる。また、図１では記録装置１としてパーソナルコンピュータなどのコンピュータ機器を示しているが、記録装置１の形態は任意であり、例えば、図２に示すように写真店やコンビニエンスストアなどの店舗に設置される無人端末（キオスク）としたり、図３に示すように専用のセットトップボックスとしたり、図４に示すようにポータブルライターとしたり、図５に示すように演算処理機能を備えたＤＶＤレコーダやＨＤＤレコーダとしたり、図６に示すように、ハードディスクを備えた端末と画像データの読み取りや書き込みを行う本体とが分離可能な携帯機器としたり、演算処理機能を備えたカーナビゲーション機器などとすることもできる。
【００３４】
上記構成の記録装置１（データ選択プログラム）を用いた処理の手順について、図８のフローチャート図を参照して説明する。なお、以下では、Ｖｉｄｅｏ−ＣＤ形式の家電機器用データを生成する場合について示すが、ＤＶＤ−Ｖｉｄｅｏ形式やＨＤＴＶ形式などの家電機器用データを生成する場合も同様に適用することができる。
【００３５】
まず、ステップＳ１０１で、記録装置１のメディア装填部２にメディア８を装填、又は機器接続部３にデジタルカメラ７を接続すると、ステップＳ１０２で、データ入力手段１３は、メディア８やデジタルカメラ７などから画像データを読み取る。この画像データはデジタルカメラ７で撮影して得られた画像データに限定されず、ネガフィルムや写真プリントをスキャンして得られた画像データや、ビデオテープレコーダなどから得られた動画データ、動画をキャプチャして得られた静止画像データなどであってもよく、読み取り先もＣＤ−ＲやＤＶＤ−Ｒなどの記録媒体や通信ネットワーク１１を介して接続されるサーバ１０などであってもよい。
【００３６】
画像データの読み取りが終了すると、表示制御手段１９は、表示手段５に例えば図１０に示すような画像表示画面２１を表示させる。この画像表示画面２１には、画像データの読み取り先を示すタグ表示欄２２と、読み取った画像データに基づく画像を一覧表示する一覧表示欄２３と、画像データに対する作業を選択する作業メニュー欄２４などが設けられており、一覧表示欄２３に表示された画像を確認した後、作業メニュー欄２４で所望の作業（ここではディスク作成）を選択する。すると、表示制御手段１９は、表示手段５に作業に応じた画面（ここではディスク作成に対して図１１に示すような画像選択画面２５）を表示させる。この画像選択画面２５には、画像データの読み取り先を示すタグ表示欄２６と、読み取った画像データに基づく画像を一覧表示する一覧表示欄２７と、その中から選択した画像を表示する選択画像表示欄２８と、作業手順を表示する作業手順表示欄２９などが設けられており、必要に応じて画像データを選択した後、画像の順番を変えたり、画像を回転させたり、スライドショーのタイトルを入力したり、各々の画像にコメントを入力するなどの処理を行う。
【００３７】
そして、スライドショーとして利用する画像データが確定したら、ステップＳ１０３で、スライド表示時間算出手段１４は、画像データをスライドショーとして表示するためのスライド表示時間（ＳＴ）を算出する。具体的には、静止画像データに対しては、静止画像データの数量に予め設定されたスライド間隔を乗算し、動画データに対しては、動画データのヘッダ情報などを参照して動画の再生時間を特定し、これらを加算してスライド表示時間を算出する。なお、上記スライド間隔は特に限定されないが、スライド間隔が短いと画像が頻繁に切り替わり、スライド間隔が長いと間延びしたスライドショーとなってしまうことから、所定の範囲とすることが好ましく、例えば、３〜１０秒程度とすることができる。
【００３８】
次に、音楽データ選択手段１５は、記録装置１の記憶手段１８、記録媒体装填部４に装填された音楽ＣＤ、通信ネットワーク１１を介して接続されているサーバ１０などに記憶された複数の音楽データの中から、スライドショーのＢＧＭに適した１又は複数の音楽データを選択する。具体的には、記憶手段１８や音楽ＣＤ、サーバ１０などのいずれか一つ又は複数にアクセスし、記憶手段１８に予め記憶された音楽データのヘッダ情報や音楽データに関連する情報が記述されたメタデータなどを参照したり、音楽ＣＤに記憶された音楽データのヘッダ情報やメタデータなどを参照したり、サーバ１０に記憶された音楽データに関する情報が記述されたデータベースなどを参照して、各々の音楽データの再生時間（ＢＴ）を特定し、ステップＳ１０４で、各々の音楽データの再生時間と上記ステップで算出したスライド表示時間とを比較し、ステップＳ１０５で、複数の音楽データの中からスライド表示時間に基づいて定められる範囲の再生時間の１又は複数の音楽データを選択する。
【００３９】
上記範囲の設定に際して、スライド表示時間（ＳＴ）と音楽データの再生時間（ＢＴ）とが大きく異なる場合、音楽データの再生時間に合わせてスライド間隔を調整すると、画像が頻繁に切り替わったり、間延びしてしまうことから、スライド表示時間と音楽データの再生時間とは近い値であることが好ましく、スライド表示時間（ＳＴ）と音楽データの再生時間（ＢＴ）とが下記関係を満たす場合に、見栄えのよいスライドショーとなることを経験的に確認している。
【００４０】
０．８ＳＴ≦ＢＴ≦１．２ＳＴ      …  （１）
【００４１】
なお、上記では１つの音楽データの再生時間とスライド表示時間とを比較したが、例えば、スライド表示時間が長く、上記関係を満たす音楽データが無い又は少ない場合には、複数の音楽データを組として選択することも可能である。その場合、各々の音楽データの再生時間をＢＴ１、ＢＴ２、…とすると、スライド表示時間と複数の音楽データの再生時間とが下記関係を満たす場合に、見栄えのよいスライドショーとなることを経験的に確認している。
【００４２】
０．８ＳＴ≦ＢＴ１＋ＢＴ２＋…≦１．２ＳＴ      …  （２）
【００４３】
上記方法でスライド表示時間に適した再生時間の音楽データを選択することができるが、選択された音楽データはスライドショーのイメージに近似しているとは限らず、画像と音楽のイメージが近似しない場合には見栄えのよいスライドショーを作成することができない。そこで、スライドショーのイメージに近似した音楽データを選択するために、音楽データ選択手段１５は、上述したメタデータやデータベース、音楽データのヘッダ情報などから、音楽データの楽曲タイトルやアルバムタイトル、アーティスト名、発表日時、アルバムのキーワード、楽曲の流行時期などの音楽データに関連する情報を抽出し、また、各々の画像データのヘッダ情報などから、撮影日時や撮影時に入力されたコメントなどの画像データに関連する情報を抽出する。そして、ステップＳ１０６で、音楽データに関連する情報と、画像データに関連する情報やステップＳ１０２で入力されたスライドショーのタイトル、各々の画像データに対するコメントなどとを比較し、ステップＳ１０７で、上記ステップで選択された音楽データの中から、画像データに基づく画像によって特定されるイメージに近似するイメージを有する１又は複数の音楽データを選択する。
【００４４】
例えば、スライドショーのタイトルや画像データに対するコメントと、音楽データの楽曲タイトルやアルバムタイトル、アルバムキーワードとを比較し、その各々に、実質的に同じ文言（例えば、夏、サマーなど）が含まれている場合は、画像データに基づく画像のイメージと音楽データに基づく音楽のイメージとが近似すると判断してその音楽データをスライドショーのＢＧＭとして選択する。また、画像データの撮影日時やスライドショーの作成日時と、音楽データの発表日時や流行時期とを比較し、各々の時期が重複している場合は、画像データに基づく画像のイメージと音楽データに基づく音楽のイメージとが近似すると判断してその音楽データをスライドショーのＢＧＭとして選択する。
【００４５】
なお、上記では、スライド表示時間に基づいて音楽データを選択した後、更に、画像データのイメージに基づいて音楽データを選択する構成としたが、スライド表示時間に基づいて選択される音楽データの数が少ない場合は画像データのイメージに基づく選択を省略してもよいし、スライド表示時間に基づく選択を省略して、イメージに基づく選択のみを実行してもよいし（この場合はステップＳ１０３〜Ｓ１０５は不要）、イメージに基づく選択を行った後にスライド表示時間に基づく選択を行ってもよい（この場合はステップＳ１０６〜Ｓ１０７を先に実行し、ステップＳ１０３〜Ｓ１０５を後で実行する）。
【００４６】
そして、音楽データの選択が終了したら、ステップＳ１０８で、表示制御手段１９は、表示手段５に例えば図１２に示すようなＢＧＭ選択画面３０を表示させる。このＢＧＭ選択画面３０には、音楽データのタイトル名やアーティスト名、演奏時間などを表示する一覧表示欄３２が設けられており、この一覧表示欄３２に上記ステップで選択された音楽データが表示される。そして、その中からユーザが１つ又は１組の音楽データを選択すると、選択音楽表示欄３３に選択された音楽データが表示され、選択された音楽データを試聴するなどして、スライドショーのＢＧＭとして使用する音楽データを決定する。
【００４７】
上記ステップＳ１０４〜Ｓ１０８では、音楽データ選択手段１５は、音楽データを入手可能な任意の場所に記憶された音楽データの中からスライドショーに適した音楽データを選択する構成としたが、例えば、ＢＧＭ選択画面３０に設けられた読み取り先選択欄３１の中から所望の読み取り先（例えば、Ｄ：音楽サーバ）をユーザが指定してもよく、その場合は、音楽データ選択手段１５は、指定された読み取り先に記憶された音楽データの中から同様の手順に従ってスライドショーに適した音楽データを選択すればよい。
【００４８】
次に、ステップＳ１０９で、データ生成手段１６を用いて、複数の画像データと選択された１又は１組の音楽データとに基づいて家電機器用データを生成する。その方法について、図９を参照して説明する。
【００４９】
まず、必要に応じて、入力された静止画像データや挿入する静止画像データをＹＵＶ形式（輝度、輝度と赤色成分の差、輝度と青色成分との差の３つの情報で色を表す形式）に変換した後、所定の形式（ここではＭＰＥＧ１形式）の動画データを作成する。また、入力された画像データの中に動画データが含まれており、その動画データのファイル形式が予め定められた形式と異なる場合は、動画データのファイル形式を変換する。上記静止画像データから動画データを作成する方法は特に限定されず、スライドショープログラムで設定されたスライド効果に基づいて静止画像データを再生する場合はスライド効果に基づく差分データを付加して動画データを生成すればよいし、同じ画像を一定時間表示する場合にはスライド表示時間分の差分０のデータを付加して動画データを生成すればよい。
【００５０】
次に、動画データに音楽データを合成する。ここで、入力された画像データの中に動画データが含まれていない場合は、静止画像データから作成された動画データに音楽データを合成すればよいが、入力された画像データの中に動画データが含まれている場合は、音楽データの再生時間から動画データの再生時間を減じた時間、静止画像データのスライド表示が行われるため、音楽データを予め、動画データの再生時間分の動画用音楽データと静止画像データのスライド表示時間分の静止画用音楽データに分割しておき、静止画像データから作成された動画データ（Stillmovie）と静止画用音楽データ（BGM1S）とを合成し、入力された動画データ（Movie1）と動画用音楽データ（BGM1M）とを合成する。
【００５１】
そして、音楽データが合成されたＭＰＥＧ１形式の動画データを、家電機器で再生可能な形式のデータ（例えば、ＣＤ−Ｒの場合はＶｉｄｅｏ−ＣＤ形式、ＤＶＤ−Ｒの場合はＤＶＤ−Ｖｉｄｅｏ形式、Ｂｌｕ−ｒａｙディスクの場合はＨＤＴＶ形式のデータ）に変換する。その際、静止画像データから作成された動画データと入力された動画データとをまとめて変換して１つのデータとしてもよいし、静止画像データから作成した動画データを１セグメントとして変換してもよい。
【００５２】
その後、ステップＳ１１０で、記録装置１の記録媒体装填部４にＣＤ−Ｒ／ＲＷやＤＶＤ±Ｒ／ＲＷ、ＤＶＤ−ＲＡＭ、Ｂｌｕ−ｒａｙディスク等の記録媒体９を装填する。この記録媒体９として市販されている任意の記録媒体を用いることができるが、特定の記録媒体９に対してのみデータの記録が行われるようにしてもよく、その場合は、ステップＳ１１１で、記録媒体９の所定の領域に記録媒体９を識別するための識別情報が記録されているか否かに基づいて記録媒体９を識別することができる。この識別情報の内容は限定されないが、識別情報の中身が容易に知られてしまうと識別情報自体もコピーされてしまうため、識別情報の少なくとも一部はコンピュータのＯＳでは記録内容を制御できない情報、具体的にはプログラムメモリ領域の情報や、ＣＤ−Ｒ成型時に付与される案内溝変調（ＡＴＩＰ：Absolute Time In Pre-groove）による情報などとすることが好ましい。
【００５３】
ここで、一般的な記録媒体９（ＣＤ−Ｒ）の構造について、図１６を参照して説明すると、ＣＤ-Ｒは、ポリカーボネート基板１００上に、シアニン、フタロシアニン、アゾなどの有機色素層１０１と銀などの反射層１０２と保護層１０３とが積層されて形成され、有機色素層１０１に所定のパワーのレーザ光を当てて色素を分解して基板を変形させることでピットを形成し、情報の記録を行っているが、レーザパワーは、レーザ光を照射するレーザヘッドの方式や使用する有機色素層１０１の種類に応じて最適な値が異なるため、情報の書き込みを確実に行うためにはＣＤ-Ｒのタイプやレーザ記録パワーの推奨値をドライブ側が認識する必要がある。そこで、ディスクの応用コードやレーザ記録パワーの推奨値などの情報を記録媒体の製造段階で案内溝変調（ＡＴＩＰ）による情報として書き込み、その情報をドライブのファームウェアが読み取り、ファームウェアが独自にレーザヘッドを制御してレーザパワーの調整を行っている。このような案内溝変調（ＡＴＩＰ）は製造時にしか作成できないため、ユーザレベルでのコピーを防止することができる。また、上記以外の案内溝変調（ＡＴＩＰ）であるリードイン開始時間、最大リードアウト開始可能時間等も適宜設定することで識別情報として利用することができる。
【００５４】
次に、記録媒体９に入力された画像データと生成した家電機器用データとを記録するが、その際、家電機器ではデータを読み込むことができる記録領域が限定されるため、ステップＳ１１２で、データ記録手段１７は、家電機器用データを記録媒体９の論理アドレス領域の内周側に書き込む。この論理アドレス領域とは、ユーザのデータ（プログラム）が記録される領域であり、ユーザデータの配置情報が記録されるプログラムメモリ領域、リードイン・ＴＯＣ（Table Of Contents）領域やリードアウト領域などの情報領域、ディスクの応用コードやレーザ記録パワーの推奨値、その他の情報が記録される案内溝変調（ＡＴＩＰ）情報の領域は含まず、また、論理アドレス領域外とは上記論理アドレス領域以外の領域を指すものとする。
【００５５】
次に、必要に応じてセッションをクローズした後、ステップＳ１１３で、データ記録手段１７は、必要に応じて、入力された静止画像データや動画データなどを記録媒体９の先に記録した家電機器用データの外側に書き込む。
【００５６】
上記手順で作成された記録媒体９には、図１５に示すように各種情報が記録され、ディスク型記録媒体９の最も内側の論理アドレス領域外には識別情報が記録されており、その外側に位置する論理アドレス領域の内周側には家電機器用データが記録され、更にその外側の領域にはコンピュータ機器データが記録される。
【００５７】
また、上記手順で作成された記録媒体９のディレクトリ構造は、例えば、図１３（ａ）に示すようになり、画像データ、音楽データ、スライドショー再生プログラム、スライドショーの設定ファイル、記録媒体９に関する各種情報が記述された情報ファイルなどでコンピュータ機器用データが構成され、”VCD”フォルダ内の画像データをＶｉｄｅｏ−ＣＤ形式として関連付ける画像データ、”SEGMENT”フォルダ内のＴＶ画面に表示する画像データ、”MPEGAV”フォルダ内の動画データ、”CDI”フォルダ内のＴＶ画面に静止画像データを表示するためのアプリケーションなどで家電機器用データが構成される。また、記録媒体９（ＤＶＤ−Ｒ）のディレクトリ構造は、例えば、図１３（ｂ）に示すようになり、家電機器用データは、”VIDEO_TS”フォルダ内のビデオマネージャ（ＶＭＧ）とビデオタイトルセット（ＶＴＳ）とで家電機器用データ（ＤＶＤ−Ｖｉｄｅｏデータ）が構成される。より具体的には、ＶＭＧは、ビデオ全体を制御するための情報が記録されたVIDEO_TS.IFO、そのバックアップファイルであるVIDEO_TS.BUP、タイトル選択メニューのためのVIDEO_TS.VOBファイルで構成され、ＶＴＳは、ＶＴＳ全体を制御する情報が記述されたVTS_**_0.IFO、そのバックアップファイルであるVTS_**_0.BUP、ＶＴＳの各タイトルの動画データであるVTS_**_*.VOBなどで構成される。
【００５８】
なお、画像データのディレクトリ構造は任意であるが、画像データをコンピュータ機器などにバックアップした場合における管理を容易にするために、例えば、図１３に示すように、画像データの格納場所を示すフォルダ（PS_Roll）の下位の階層にメディア８毎、機器毎、フィルム毎の画像データの格納場所を示すフォルダ（ROYYMMDDyyy_XXXXXXAABxxx、YYMMDD：書き込み年月日を特定する数字、yyy：日毎のシーケンシャル番号、XXXXXX：ランダムなＩＤ番号、AA：メーカーコード（00〜ZZ）、B：ソフトウェア、機器の商品カテゴリー（0〜Z）、xxx：シーケンシャル番号）などを作成したり、各々の画像データをCCYYMMDDxxxxxx（CC：画像データの種別、YYMMDD：書き込み年月日を特定する数字、xxxxxx：シーケンシャル番号）などにリネームすることもできる。
【００５９】
次に、ステップＳ１１４で、印刷制御手段２０は、印刷手段１２を用いて、記録媒体９のレーベル面や記録媒体９を収納するケースのジャケットプリントに所定の情報を印刷する。その際、従来は、レーベル面やジャケットプリントには画像データに基づく１又は複数の画像が印刷されるのみであり、レーベル面やジャケットプリントを見ただけではどのような音楽がスライドショーのＢＧＭとして使用されているかを判別することができなかった。そこで、本発明では、印刷制御手段２０は、図１４に示すように、レーベル面やジャケットプリントに画像データに基づく１又は複数の画像３５を印刷すると共に、ステップＳ１０６でイメージを比較する際に抽出した情報を利用して、選択された音楽データに関連する情報３６（例えば、音楽ＣＤのジャケット画像やアーティストの画像など）を印刷する。これにより、レーベル面やジャケットプリントを見ただけでどのような音楽がスライドショーのＢＧＭとして使用されているかを容易に識別することができるため、記録媒体９の利用価値を高めることができる。
【００６０】
このように、本実施例では、入力された画像データをスライドショーとして再生するためのスライド表示時間が算出され、記憶手段１８や音楽ＣＤ、サーバ１０などに記憶された音楽データの中から、算出されたスライド表示時間に適した再生時間の音楽データや、画像データに基づく画像のイメージに近似するイメージを有する音楽データが選択されて表示手段５に表示され、複数の画像データと選択された１又は１組の音楽データとに基づいてスライドショー用の家電機器用データが作成されるため、画像が頻繁に切り替わったり、画像が間延びして表示されることのない、見栄えのよい音楽付きスライドショーを簡単に作成することができる。
【００６１】
また、記録媒体９のレーベル面や記録媒体９を収納するケースのジャケットプリントなどに、画像データに基づく画像と共に、音楽ＣＤのジャケット画像などの音楽データに関連する情報が印刷されるため、スライドショーのＢＧＭとして使用される音楽を容易に識別することができ、記録媒体９の利用価値を高めることができる。
【００６２】
なお、本発明は音楽データの選択処理（ステップＳ１０４〜Ｓ１０８）に特徴を有するものであり、家電機器用データの生成処理、記録媒体の識別処理などの他の処理の順番や内容は適宜変更することができる。
【００６３】
また、上記実施例では、デジタルカメラ７やメディア８から読み取った画像データを利用して音楽付きスライドショーを作成する構成としたが、本発明は上記実施例に限定されるものではなく、例えば、予め音楽付きスライドショーや音楽なしスライドショーのデータが記録された記録媒体９を用い、その記録媒体９から読み取った画像データを利用して再度音楽付きスライドショーを作成する構成とすることもできる。その場合は、ステップＳ１０１で画像データが記録された記録媒体９を装填し、その後、同様の手順に従って処理を行えばよい。
【実施例２】
【００６４】
次に、本発明の第２の実施例に係るデータ選択プログラムについて、図１７乃至図１９を参照して説明する。図１７は、本実施例に係る記録装置の手段を示すブロック図であり、図１８は、記録装置を用いた処理の手順を示すフローチャート図である。また、図１９は、家電機器用データを生成する手順を模式的に示す図である。なお、本実施例は、音楽データと共に、各々の画像データに対応する効果音データ（各々の画像を効果的に再生するために利用可能な音や声などが記録されたデータを総称して効果音データと呼ぶ。）を利用する場合について記載する。
【００６５】
図１７に示すように、本実施例の記録装置１は、メディア装填部２に装填されたメディア８、機器接続部３に接続されたデジタルカメラ７等の撮影機器、ネットワーク接続部を用いて接続されるサーバ１０などから画像データを入力すると共に、記憶手段１８、記録媒体装填部４に装填された記録媒体９、ネットワーク接続部を用いて接続されるサーバ１０などから音楽データや効果音データを入力するデータ入力手段１３と、入力された画像データをスライドショーとして表示するためのスライド表示時間を算出するスライド表示時間算出手段１４と、記憶手段１８や記録媒体装填部４に装填された音楽ＣＤ、サーバ１０などに記憶された複数の音楽データの中から、スライドショーのＢＧＭに適した１又は複数の音楽データを選択する音楽データ選択手段１５と、記憶手段１８や記録媒体装填部４に装填された音楽ＣＤ、サーバ１０などに記憶された複数の効果音データの中から、予め記憶された対応付け情報を参照して、各々の画像データに対応する効果音データを選択する効果音データ選択手段３７と、画像データと選択された音楽データと選択された効果音データとに基づいてＶｉｄｅｏ−ＣＤ形式、ＤＶＤ−Ｖｉｄｅｏ形式、ＨＤＴＶ形式などの家電機器用データを生成するデータ生成手段１６と、記録媒体装填部４に装填された記録媒体９に、生成された家電機器用データや画像データ、選択された音楽データ、選択された効果音データなどを記録するデータ記録手段１７と、スライド間隔の推奨値や音楽データ、上記効果音データを選択するために利用する対応付け情報などを記憶する記憶手段１８と、選択された音楽データを表示するための画面などを表示手段５に表示させる表示制御手段１９と、表示手段５及び操作手段６と、印刷手段１２を用いて、記録媒体９のレーベル面や記録媒体９を収納するケースのジャケットプリントなどに画像データに基づく画像と選択された音楽データに関連する情報とを印刷させる印刷制御手段２０などを備えている。
【００６６】
なお、本実施例では、画像データと音楽データと効果音データとを合成して家電機器用データを生成する場合について記載するが、画像データと効果音データとを合成して家電機器用データを生成する構成とすることもでき、その場合は、スライド表示時間算出手段１４や音楽データ選択手段１５などは不要である。また、上記各手段は記録装置１にハードウェアとして構成されていてもよいが、コンピュータを、音楽データ選択手段１５と表示制御手段１９と効果音データ選択手段３７、スライド表示時間算出手段１４と音楽データ選択手段１５と表示制御手段１９と効果音データ選択手段３７、更に必要に応じて印刷制御手段２０、データ生成手段１６として機能させるデータ選択プログラムとして構成し、該データ選択プログラムを記録装置１にインストールして実行する構成とすることができる。
【００６７】
上記構成の記録装置１（データ選択プログラム）を用いた処理の手順について、図１８のフローチャート図を参照して説明する。なお、以下では、Ｖｉｄｅｏ−ＣＤ形式の家電機器用データを生成する場合について示すが、ＤＶＤ−Ｖｉｄｅｏ形式やＨＤＴＶ形式などの家電機器用データを生成する場合も同様に適用することができる。
【００６８】
まず、ステップＳ２０１で、記録装置１のメディア装填部２にメディア８を装填、又は機器接続部３にデジタルカメラ７を接続すると、ステップＳ２０２で、データ入力手段１３は、メディア８やデジタルカメラ７などから画像データを読み取る。次に、表示制御手段１９は、表示手段５に例えば図１０に示すような画像表示画面２１を表示させ、ユーザは一覧表示欄２３に表示された画像を確認した後、作業メニュー欄２４でディスク作成を選択する。続いて、表示制御手段１９は、表示手段５に例えば図１１に示すような画像選択画面２５を表示させ、ユーザは必要に応じて画像データを選択した後、画像の順番を変えたり、画像を回転させたり、スライドショーのタイトルを入力したり、各々の画像にコメントを入力するなどの処理を行う。
【００６９】
次に、ステップＳ２０３で、スライド表示時間算出手段１４は、第１の実施例と同様に、静止画像データに対しては、静止画像データの数量に予め設定されたスライド間隔を乗算し、動画データに対しては、動画データのヘッダ情報などを参照して動画の再生時間を特定し、これらを加算してスライド表示時間を算出する。
【００７０】
次に、ステップＳ２０４で、音楽データ選択手段１５は、第１の実施例と同様に、記憶手段１８に予め記憶された音楽データのヘッダ情報やメタデータなどを参照したり、音楽ＣＤに記憶された音楽データのヘッダ情報やメタデータなどを参照したり、サーバ１０に記憶された音楽データに関する情報が記述されたデータベースなどを参照して、各々の音楽データの再生時間を特定し、各々の音楽データの再生時間と上記ステップで算出したスライド表示時間とを比較し、複数の音楽データの中からスライド表示時間に基づいて定められる範囲の再生時間の１又は複数の音楽データを選択する。
【００７１】
また、音楽データ選択手段１５は、第１の実施例と同様に、上述したメタデータやデータベース、音楽データのヘッダ情報などから、音楽データの楽曲タイトルやアルバムタイトル、アーティスト名、発表日時、アルバムのキーワード、楽曲の流行時期などの音楽データに関連する情報を抽出し、また、各々の画像データのヘッダ情報などから、撮影日時や撮影時に入力されたコメントなどの画像データに関連する情報を抽出し、音楽データに関連する情報と、画像データに関連する情報とを比較して、選択された音楽データの中から、画像データに基づく画像によって特定されるイメージに近似するイメージを有する１又は複数の音楽データを選択する。
【００７２】
次に、ステップＳ２０５で、表示制御手段１９は、表示手段５に例えばＢＧＭ選択画面３０を表示させ、その中の一覧表示欄３２に上記ステップで選択された音楽データが表示される。なお、画像データと後述する効果音データとに基づいて家電機器用データを生成する場合は、ステップＳ２０３〜Ｓ２０５までの処理は省略することができる。
【００７３】
ここで、ステップＳ２０２で選択された画像データに基づく画像が人物を撮影した写真画像である場合には、該画像データのスライド表示時間やイメージに適した音楽データを選択するだけで効果的なスライドショーを作成することができるが、例えば、様々な種類の鳥の画像などをスライドショーとして表示する場合には、各々の鳥の画像を表示させる際に、その鳥の鳴き声などの効果音を再生することができれば、より効果的なスライドショーを作成することができる。そこで、本実施例では、所定の記憶場所に記憶された効果音データの中から、各々の画像データに対応する効果音データを選択する。
【００７４】
具体的には、ステップＳ２０６で、効果音データ選択手段３７は、記録装置１の記憶手段１８、記録媒体装填部４に装填された音楽ＣＤ、通信ネットワーク１１を介して接続されているサーバ１０などの所定の記憶場所から、画像データを特定する情報（ファイル名など）と該画像データに対応する効果音データを特定する情報（ファイル名など）と必要に応じて該効果音データの記録場所を特定する情報とが対応付けて記述された対応付け情報を取得し、ステップＳ２０７で、その対応付け情報を参照して、ステップＳ２０２で選択された各々の画像データに対応する効果音データを上記所定の記憶場所から選択する。
【００７５】
なお、上記では、鳥の画像が表示される画像データに対して鳥の鳴き声が記録された効果音データを選択する例を示したが、効果音データは各々の画像データに基づく画像を効果的に表示させるために利用可能なものであればよく、例えば、人為的に生成した効果音、鳥以外の動物の鳴き声、各々の画像に対するナレーション（例えば、鳥の名前）などが記録されたデータとすることもできる。また、上記説明では、各々の画像データに対して１つの効果音データを選択する構成としたが、複数の画像データに対して１つの効果音データを選択する構成としてもよい。例えば、多種類の動物の画像をスライドショーとして表示する場合に、鳥を撮影した複数の画像データに対して所定の鳥の鳴き声が記録された１つの効果音データを選択する構成などとすることもできる。
【００７６】
次に、ステップＳ２０８で、データ生成手段１６を用いて、複数の画像データと選択された音楽データと選択された効果音データとに基づいて家電機器用データを生成する。その方法について、図１９を参照して説明する。
【００７７】
まず、必要に応じて、各々の静止画像データをＹＵＶ形式に変換した後、所定の形式（ここではＭＰＥＧ１形式）の動画データを作成する。また、入力された画像データの中に動画データが含まれており、その動画データのファイル形式が予め定められた形式と異なる場合は、動画データのファイル形式を変換する。
【００７８】
次に、静止画像データから生成した動画データ又はファイル形式を変換した動画データに、音楽データと効果音データとを合成する。具体的には、静止画像データから作成された各々の動画データ（Stillmovie1,2,…）と該静止画像データに対応する効果音データ（Effect1,2,…）とを合成する。続いて、効果音データが合成された動画データ（Stillmovie1,2,…）と静止画用音楽データ（BGM1S）とを合成し、入力された動画データ（Movie1）と動画用音楽データ（BGM1M）とを合成する。
【００７９】
なお、音楽データ及び効果音データを動画データに合成する方法としては、動画データに複数のチャンネルの音楽情報を記録できる場合（例えば、ステレオで音楽情報が記録できる場合）は、一のチャンネルに音楽データを記録して、他のチャンネルに効果音データを記録するなどの方法を用いることができる。また、ここでは、静止画像データから作成された各々の動画データ（Stillmovie1,2,…）に対して効果音データ（Effect1,2,…）を合成した後、音楽データを合成する構成としたが、効果音データと音楽データとを同時に合成してもよいし、先に音楽データを合成し、後で効果音データを合成してもよいし、音楽データに効果音データを合成した後、該データを動画データに合成してもよい。
【００８０】
そして、音楽データが合成されたＭＰＥＧ１形式の動画データを、家電機器で再生可能な形式のデータ（例えば、ＣＤ−Ｒの場合はＶｉｄｅｏ−ＣＤ形式、ＤＶＤ−Ｒの場合はＤＶＤ−Ｖｉｄｅｏ形式、Ｂｌｕ−ｒａｙディスクの場合はＨＤＴＶ形式のデータ）に変換する。その際、静止画像データから作成された動画データと入力された動画データとをまとめて変換して１つのデータとしてもよいし、静止画像データから作成した動画データを１セグメントとして変換してもよい。
【００８１】
次に、ステップＳ２０９で、記録装置１の記録媒体装填部４に記録媒体９を装填し、必要に応じて、ステップＳ２１０で、記録媒体９の所定の領域に記録媒体９を識別するための識別情報が記録されているか否かに基づいて記録媒体９を識別する。
【００８２】
次に、ステップＳ２１１で、データ記録手段１７は、家電機器用データを記録媒体９の論理アドレス領域の内周側に書き込み、必要に応じてセッションをクローズした後、ステップＳ２１２で、必要に応じて、入力された静止画像データや動画データ、音楽データ、効果音データなどを記録媒体９の先に記録した家電機器用データの外側に書き込む。
【００８３】
次に、ステップＳ２１３で、必要に応じて、印刷制御手段２０は、レーベル面やジャケットプリントに画像データに基づく１又は複数の画像３５を印刷すると共に、選択された音楽データに関連する情報３６を印刷する。
【００８４】
このように、本実施例では、記憶手段１８や音楽ＣＤ、サーバ１０などに記憶された音楽データの中から、算出されたスライド表示時間に適した再生時間の音楽データや、画像データに基づく画像のイメージに近似するイメージを有する音楽データが選択されると共に、記憶手段１８や音楽ＣＤ、サーバ１０などに記憶された効果音データの中から、予め記憶された対応付け情報を参照して、各々の画像データに対応する効果音データが選択され、複数の画像データと選択された音楽データと選択された効果音データとに基づいてスライドショー用の家電機器用データが作成されるため、各々の画像がより効果的に表示される付加価値の高い音楽付きスライドショーを簡単に作成することができる。
【００８５】
なお、上記各実施例では、複数の音楽データの中から所望の音楽データを選択する場合や、複数の効果音データの中から所望の効果音データを選択する場合について示したが、例えば、複数の映像データの中から所望の映像データを選択する等、他の種類のデータを選択する場合についても同様に適用することができる。
【図面の簡単な説明】
【００８６】
【図１】本発明の第１の実施例に係る記録装置の構成を模式的に示す図である。
【図２】本発明の第１の実施例に係る記録装置の他の構成を示す図である。
【図３】本発明の第１の実施例に係る記録装置の他の構成を示す図である。
【図４】本発明の第１の実施例に係る記録装置の他の構成を示す図である。
【図５】本発明の第１の実施例に係る記録装置の他の構成を示す図である。
【図６】本発明の第１の実施例に係る記録装置の他の構成を示す図である。
【図７】本発明の第１の実施例に係る記録装置の構成を示すブロック図である。
【図８】本発明の第１の実施例に係る記録装置を用いた処理の手順を示すフローチャート図である。
【図９】本発明の第１の実施例に係る記録装置を用いた家電機器用データの生成手順を模式的に示す図である。
【図１０】本発明の第１の実施例に係る記録装置の表示手段に表示される画面構成例（画像表示画面）を示す図である。
【図１１】本発明の第１の実施例に係る記録装置の表示手段に表示される画面構成例（画像選択画面）を示す図である。
【図１２】本発明の第１の実施例に係る記録装置の表示手段に表示される画面構成例（ＢＧＭ選択画面）を示す図である。
【図１３】本発明の第１の実施例に係る記録媒体（ＣＤ−Ｒ）におけるデータの記録構造を示す図である。
【図１４】本発明の第１の実施例に係るジャケットプリントの構成例を示す図である。
【図１５】本発明の第１の実施例に係る記録媒体におけるデータの記録領域を模式的に示す図である。
【図１６】記録媒体（ＣＤ−Ｒ）の構造を模式的に示す図である。
【図１７】本発明の第２の実施例に係る記録装置の構成を示すブロック図である。
【図１８】本発明の第２の実施例に係る記録装置を用いた処理の手順を示すフローチャート図である。
【図１９】本発明の第２の実施例に係る記録装置を用いた家電機器用データの生成手順を模式的に示す図である。
【符号の説明】
【００８７】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  サーバ
１１  通信ネットワーク
１２  印刷手段
１３  データ入力手段
１４  スライド表示時間算出手段
１５  音楽データ選択手段
１６  データ生成手段
１７  データ記録手段
１８  記憶手段
１９  表示制御手段
２０  印刷制御手段
２１  画像表示画面
２２  タグ表示欄
２３  一覧表示欄
２４  作業メニュー欄
２５  画像選択画面
２６  タグ表示欄
２７  一覧表示欄
２８  選択画像表示欄
２９  作業手順表示欄
３０  ＢＧＭ選択画面
３１  読み取り先選択欄
３２  一覧表示欄
３３  選択音楽表示欄
３４  ジャケットプリント
３５  画像
３６  音楽データに関連する情報
３７  効果音データ選択手段
１００  ポリカーボネート基板
１０１  有機色素層
１０２  反射層
１０３  保護層
【図１】
2007110659.tif 000003
【図２】
2007110659.tif 000004
【図３】
2007110659.tif 000005
【図４】
2007110659.tif 000006
【図５】
2007110659.tif 000007
【図６】
2007110659.tif 000008
【図７】
2007110659.tif 000009
【図８】
2007110659.tif 000010
【図９】
2007110659.tif 000011
【図１０】
2007110659.tif 000012
【図１１】
2007110659.tif 000013
【図１２】
2007110659.tif 000014
【図１３】
2007110659.tif 000015
【図１４】
2007110659.tif 000016
【図１５】
2007110659.tif 000017
【図１６】
2007110659.tif 000018
【図１７】
2007110659.tif 000019
【図１８】
2007110659.tif 000020
【図１９】
2007110659.tif 000021